(57)【特許請求の範囲】
【請求項１】
易崩壊性の容器内または袋内に厚さが１ｍｍ以上となるようにタイヤに粘着できる粘着剤を充填してあり、この粘着剤の粘度が１００〜３０００センチポアズである粘着装置と、当該粘着装置上に配置され、タイヤへの粘着時に一部が粘着剤に粘着同伴して車輪軸ないしはその付近に絡み付く紐状部材との組合せからなることを特徴とする車両走行阻止具。
【請求項２】
粘着剤を充填した易崩壊性の容器または袋がベースシート上に複数個並置され、その上に紐状部材が配置されていることを特徴とする請求項１に記載の車両走行阻止具。
【請求項３】
上記請求項１または２に記載の車両走行阻止具を用い、車両の車輪に粘着装置の粘着剤を粘着させることを利用して車輪に紐状部材を絡ませて車両の走行を阻止することを特徴とする車両走行阻止方法。
【発明の詳細な説明】
【０００１】
【発明の属する技術分野】
本発明は自動車、自動二輪車等タイヤを有する車両を停止させるために使用される粘着装置を利用した車両走行阻止具と車両走行阻止方法に関する。
【０００２】
【従来の技術および発明が解決しようとする課題】
従来、ネット上に接着剤を塗布した車両防止用ネット等が知られていた。
しかしながら、従来のものでは、接着剤層を単にネットに塗布しただけのものゆえ、紫外線、埃、熱、水等の種々の影響から接着力が低下する屋外では使用し難いものであった。
本発明は屋外に放置しておいても粘着力が低下せず、且つ粘着剤を充填した容器等が、車両に対する粘着剤の接着を阻害しないようなものにし、車両のタイヤに接着しやすい粘着装置を使用することにより、車両の走行阻止を確実に行えるようにしたものである。
【０００３】
【課題を解決するための手段】
本発明による車両走行阻止具に用いる粘着装置については、易崩壊性の容器内または袋内に厚さが１ｍｍ以上となるようにタイヤに粘着できる粘着剤を充填してあることを特徴としているものであって、タイヤに粘着できるだけの粘着剤を易崩壊性の容器内または袋内に充填でき、粘着剤がタイヤに対して十分な粘着力を発揮でき、粘着力にて車両の走行阻止を助成できることになる。
【０００４】
そして、粘着剤の粘度が１００〜３０００センチポアズであることから、車両のタイヤに対しての粘着が非常に好ましいものとなる。
【０００５】
そして、かかる粘着装置を利用した車両走行阻止具は、当該粘着装置上に配置され、タイヤへの粘着時に一部が粘着剤に粘着同伴して車輪軸ないしはその付近に絡み付く紐状部材との組合せからなることを特徴としている。
上記車両走行阻止具によると、粘着装置として粘着剤を易崩壊性の容器内または袋内に充填しているので、屋外で使用しても粘着力が低下せず、車両の重みで易崩壊性の容器または袋はつぶれ易く、タイヤに対して粘着剤がくっ付き易いものとなる。また粘着装置と組合せた紐状部材は粘着装置上に配置され、易崩壊性の容器または袋がつぶれて粘着剤がタイヤへの粘着時には一部が粘着剤に粘着同伴してこの紐状部材は車輪軸ないしはその付近に絡み付くようになっているので、車輪が回転停止され、車両が減速されてエンストを起し車両走行が確実に阻止されることになる。
【０００６】
また、本発明は請求項２に記載したように、粘着剤を充填した易崩壊性の容器または袋がベースシート上に複数個並置され、その上に紐状部材が配置されていることを特徴としていると、複数個のうち、適数の易崩壊性の容器上または袋上を車両のタイヤが走行すると、その粘着装置部分の容器または袋がつぶれてタイヤに粘着剤を粘着させることができると共に、紐状部材の一部を粘着して残る紐状部材を車輪軸ないしはその付近に絡み付かせることができ、車両の走行阻止ゾーンを広げることが可能となる。
【０００７】
次に、請求項３に記載した本発明による車両走行阻止方法は、上記請求項１または２に記載の車両用走行阻止具を用い、車両の車輪に粘着装置の粘着剤を粘着させることを利用して車輪に紐状部材を絡ませて車両の走行を阻止することを特徴とするものであり、簡易な方法で確実に車両の走行を阻止できることになる。
【０００８】
【発明の実施の形態】
本発明の実施形態について添付図面を参照しながら以下に説明する。
図１は本発明による車両走行阻止用粘着具の斜視図であって、任意に併用できるようにしたカバーシートを被せる前の状態を示しており、図２は一部の断面図を示している。
図における１０は合成樹脂、布等からなるベースシートであり、大きさは任意であるが、例えば５００×１３０ｍｍの大きさに形成されてあり、ベースシート１０上には易崩壊性の容器２０の複数個（５〜１０個程度が好ましい）を両面接着テープ３０にて併設してあり、易崩壊性の容器２０内には車両のタイヤに粘着できる粘着剤４０を充填し、上記容器２０の表面には易破断性の極く薄い剥離シート５０が設けられ、全体として粘着装置Ａを構成している。そして、上記粘着装置Ａの易崩壊性容器２０上にはロープ状、テープ状等による紐状部材Ｂが配置されて粘着装置Ａと組合せられており、タイヤへの粘着時に粘着装置上にある紐状部材Ｂが粘着剤４０に粘着同伴して紐状部材Ｂは車輪軸ないしはその付近に絡み付くようになっている。６０は合成樹脂、布等からなるカバーシートを示しており、通過するタイヤの前輪との摩擦力や発生する静電気にて簡単に除去できるものを使用する。
【０００９】
なお、剥離シート５０やカバーシート６０を使用しないで実施することもできる。
実施上、粘着剤４０については、常温で粘着性を有する不乾性のものでかつ常温で流動性のないものであれば何ら制限されない。例えば天然ゴム、合成ゴム、エチレン−酢酸ビニル共重合体、ポリイソブチレン、ポリブテン、アタクチックポリプロピレンおよびその他の液状重合体、石油樹脂等の粘着付与樹脂等を単独あるいは適宜溶剤の存在下もしくは無溶剤で加熱によりあるいはラテックス、エマルジョン状態で混合して、塗布して用いることができる。特にスチレン−ブタジエンブロックポリマー、およびまたはエチレン−酢酸ビニル共重合体などと粘着付与樹脂、可塑剤の組み合わせ、ポリイソブチレンと液状ポリブテンおよびアタクチックポリプロピレンの組み合わせ等は無溶剤系で加熱混合ができ、そのまま塗布できることなど、粘着特性ばかりか作業性の面からも好ましいものである。これらの材料により底面６に塗布される粘着剤の粘度はＪＩＳ  Ｋ−６８３３（１９８０）に準拠する測定方法により測定され１６０℃で１００センチポアズ〜３０００センチポアズの間の粘着物質であればよい。
【００１０】
そして易崩壊性容器２０内に上記粘着剤４０を厚さが１ｍｍ以上、好ましくは約３ｍｍ程度の厚さに充填して実施するものである。
また、粘着装置Ａ上に配置する紐状部材Ｂとしては複数個の易崩壊性容器２０上に１本を渡らせているが、個々の易崩壊性容器２０に対して１本ずつ紐状部材Ｂを配置して実施することもできる。
次いで、図３から図６には車両の走行阻止例を自動二輪車の場合につき示している。
【００１１】
先ず、自動二輪車のタイヤのうち前輪Ｆにてカバーシート６０を図３のごとく踏むと、カバーシート６０が一緒に同伴するか反転して粘着装置の易崩壊性容器２０からカバーシート６０が外されて上記容器２０が現われ、タイヤの後輪Ｒが図４のごとく上記容器２０上にのると、重みで上記容器２０がつぶれ後輪Ｒに粘着剤４０が付着するとともに、上記容器２０上の紐状部材Ｂも粘着剤に付着し、図５のごとく紐状部材Ｂが粘着剤４０に付着同伴すると共に後輪Ｒと粘着剤４０との間に挟まれた状態で自動二輪の車輪側へ巻き込まれて、図６のように上記容器２０内の粘着剤４０が後輪Ｒと共に回転するに伴い、紐状部材Ｂが後輪Ｒないしはその付近に図６のごとく絡み付くことになり、タイヤの後輪Ｒが回転不能になり、自動二輪車はエンストして走行が阻止される。なお、逆進の際は前後輪の作用は全く反対となる。上記易崩壊性容器２０に代え、図示しないが易崩壊性の袋を用いても同様に実施できる。
【００１２】
また、ブレーキが効かなくなった際、本発明による粘着装置を利用した車両走行阻止具を走行する方向の前方へ投げ置いて、これをタイヤが踏むことで車両の走行を阻止し、ブレーキ故障による危険を一掃できるものである。
本発明によれば、上記した自動二輪車に対する走行阻止だけでなく、四輪車の走行を強制的に阻止する場合にも有効に使用できるものである。
【００１３】
【発明の効果】
本発明による車両走行阻止具に用いる粘着装置およびこれを利用した車両走行阻止具と車両走行阻止方法によると、易崩壊性の容器内または袋内に粘着剤を充填しているので、屋外で使用しても粘着力が低下せず、また車両の重量で上記容器または袋が簡単につぶれて粘着装置による粘着力を容易に発揮できることになり、しかも粘着装置に紐状部材を組み合わせてあって、車両に絡み付き易くしてあるので、車両に対する走行阻止が非常に確実に行える利点を有する。
【図面の簡単な説明】
【図１】カバーシートを被せる前の一部切欠斜視図である。
【図２】断面図である。
【図３】前輪が粘着具位置に達した状態の側面図である。
【図４】後輪が粘着具位置に達した状態の側面図である。
【図５】後輪に粘着具が粘着して紐状部材を同伴する状態の側面図である。
【図６】紐状部材が車両に絡み付いた状態の側面図である。
【符号の説明】
Ａ    粘着装置
１０    ベースシート
２０    易崩壊性容器
３０    両面接着テープ
４０    粘着剤
５０    剥離シート
６０    カバーシート
Ｂ    紐状部材
Ｆ    前輪
Ｒ    後輪
【図１】
0004240727.tif 000002
【図２】
0004240727.tif 000003
【図３】
0004240727.tif 000004
【図４】
0004240727.tif 000005
【図５】
0004240727.tif 000006
【図６】
0004240727.tif 000007